(57)【要約】【課題】  昇降路側から表示器具本体の保守点検を容易に行なうことができ、三方枠幕板の下面に点検口を設ける必要がないエレベータの乗場装置を提供する。【解決手段】  乗場に設けられ三方枠幕板５を有する三方枠と、三方枠幕板に設けられた表示器具１４と、三方枠の昇降路側に設けられ、上端が表示器具の上端部近傍に達する乗場ドア６と、乗場ドアの上端より上部に配設され、乗場ドアを開閉するドア開閉装置８と、ドア開閉装置の上端部より高い位置で三方枠幕板の昇降路側に配設されたスクリーンケース９内に巻き取り収納され、要時に下降して乗場の開口部を閉塞するスクリーン１０を有するスクリーン開閉機と、スクリーンの下端部に設けられたスクリーン錘１１の上限位置を規制する上限ストッパ１３とを備え、表示器具の保守点検時に上限ストッパを取り外し、スクリーン錘がドア開閉装置の下端近傍に位置し得るようにした構成とする。【選択図】        図１
2005178926.tif 000002
【特許請求の範囲】
【請求項１】
エレベータの昇降路に開口した乗場の両側に設けられた三方枠縦枠及び上記両三方枠縦枠の上端部に跨って設けられた三方枠幕板を有する三方枠と、上記三方枠幕板に設けられた表示器具と、上記三方枠の上記昇降路側に設けられ、上端が上記表示器具の上端部近傍に達する高さを有し、上記乗場を開閉する乗場ドアと、この乗場ドアの上端より上部に配設され、上記乗場ドアを開閉するドア開閉装置と、このドア開閉装置の上端部より高い位置で上記三方枠幕板の上記昇降路側に配設されたスクリーンケース及びこのスクリーンケース内に巻き取り収納されると共に、要時に下降して上記乗場の開口部を閉塞する防火防煙スクリーンを有するスクリーン開閉機と、上記防火防煙スクリーンの下端部に設けられたスクリーン錘の上限位置を規制する上限ストッパとを備え、上記表示器具の保守点検時に上記上限ストッパを取り外し、上記スクリーン錘が上記ドア開閉装置の下端近傍に位置し得るようにしたことを特徴とするエレベータの乗場装置。
【請求項２】
エレベータの昇降路に開口した乗場の両側に設けられた三方枠縦枠及び上記両三方枠縦枠の上端部に跨って設けられた三方枠幕板を有する三方枠と、上記三方枠幕板に設けられた表示器具と、上記三方枠の上記昇降路側に設けられ、上端が上記表示器具の上端部近傍に達する高さを有し、上記乗場を開閉する乗場ドアと、この乗場ドアの上端より上部に配設され、上記乗場ドアを開閉するドア開閉装置と、このドア開閉装置の上端部より高い位置で上記三方枠幕板の上記昇降路側に配設されたスクリーンケース及びこのスクリーンケース内に巻き取り収納されると共に、要時に下降して上記乗場の開口部を閉塞する防火防煙スクリーンを有するスクリーン開閉機と、上記防火防煙スクリーンの下端部に設けられたスクリーン錘の上限位置を規制する上限ストッパとを備え、上記表示器具の保守点検時に上記上限ストッパを取り外し、上記ドア開閉装置の下端近傍で上記三方枠縦枠に固定することにより、上記スクリーン錘が上記上限ストッパより下方に移動しないようにしたことを特徴とするエレベータの乗場装置。
【請求項３】
エレベータの昇降路に開口した乗場の両側に設けられた三方枠縦枠及び上記両三方枠縦枠の上端部に跨って設けられた三方枠幕板を有する三方枠と、上記三方枠幕板に設けられた表示器具と、上記三方枠の上記昇降路側に設けられ、上端が上記表示器具の上端部近傍に達する高さを有し、上記乗場を開閉する乗場ドアと、この乗場ドアの上端より上部に配設され、上記乗場ドアを開閉するドア開閉装置と、このドア開閉装置の上端部より高い位置で上記三方枠幕板の上記昇降路側に配設されたスクリーンケース及びこのスクリーンケース内に巻き取り収納されると共に、要時に下降して上記乗場の開口部を閉塞する防火防煙スクリーンを有するスクリーン開閉機と、上記三方枠縦枠に回転可能に装着され、所定位置で上記スクリーン錘の上限位置を規制すると共に、回転位置で上記スクリーン錘が上記上限位置を越えて上方に移動するのを許容する上限ストッパと、上記上限ストッパより上方で上記ドア開閉装置の下端部近傍の上記三方枠縦枠に回転可能に装着された安全ストッパとを備え、上記表示器具の保守点検時に上記上限ストッパを回転位置に設定すると共に、上記安全ストッパを所定位置に回転させ、上記スクリーン錘を上記安全ストッパの上方に移動させた状態で上記安全ストッパを回転位置に設定することにより、上記スクリーン錘が上記安全ストッパより下方に移動するのを防止するようにしたことを特徴とするエレベータの乗場装置。
【発明の詳細な説明】
【技術分野】
【０００１】
この発明は、エレベータの乗場装置、特に建物の火災時に火炎、煙による昇降路を経由した火災災害の拡大を防止する防火、防煙スクリーンが設けられたエレベータの乗場装置に関するものである。
【背景技術】
【０００２】
図５、図６は、従来のエレベータの乗場装置を示すもので、図５は、乗場出入口の正面図、図６は、図５のＡ−Ａ線に沿った断面図である。
図示のように、エレベータの昇降路１に形成された乗場２に、昇降路１に開口した出入口３が設けられている。また、出入口３には、その両側壁に設けられた三方枠縦枠４と、各三方枠縦枠の上端部に跨って設けられ、出入口３の縁部を形成する三方枠幕板５とからなる三方枠が設けられている。
【０００３】
三方枠の昇降路１側には乗場２の出入口３を開閉する乗場ドア６が設けられ、その下端部に設けられた敷居７に沿って下端部が開閉方向に案内されると共に、上端部に設けられたドア開閉装置８によって出入口３を開閉するようにされている。
また、三方枠幕板５の裏面にはスクリーンケース９が配設され、その内部には防火、防煙スクリーン１０が巻き取り収納されている。
【０００４】
この防火、防煙スクリーン１０の下端部にはスクリーン錘１１が設けられてスクリーン錘１１の下降動作を容易にし、建物の火災発生時に火災感知器等（図示せず）からの信号に応答して防火、防煙スクリーン１０が三方枠縦枠４に上下方向に凹設された案内溝４ａに沿って下降し、乗場２の開口部３を閉塞して昇降路１への火炎、煙の侵入を防止するようにしている。
【０００５】
また、スクリーン錘１１は三方枠幕板の下面５ａと乗場ドア６との間に設けられた上枠１２の上面に設けられた上限ストッパ１３によって上方への移動が規制されている。即ち、
防火、防煙スクリーン１０のスクリーンケース９への巻き込み収納時に、スクリーン錘１１の上端が上限ストッパ１３の上端に形成されたＬ形折曲部１３ａに当接して、それ以上の上方への移動が規制されるようになっている。
【０００６】
更に、三方枠幕板５には乗場に対する表示器具１４が配設されているが、その本体１４ａは三方枠幕板５の裏面に設けられ、その内部に収納されたランプの交換等を含む定期的な保守点検のため、三方枠幕板の下面５ａに点検口１５が設けられている。
また、表示器具本体１４ａの後方には塞ぎ板１６が設けられ、その上端及び下端は三方枠幕板５にねじ止めされている。（例えば特許文献１参照）。
【０００７】
【特許文献１】特願２００２−２００４８４号明細書（段落００１６−００１８、図１、図２）
【発明の開示】
【発明が解決しようとする課題】
【０００８】
従来のエレベータの乗場装置は以上のように構成され、三方枠幕板５の裏面に設けられた表示器具１４の本体１４ａの保守点検用として、三方枠幕板５の下面５ａに点検口１５を設ける必要があったため、意匠性が悪く、コストが高くなるという問題点があった。
また、点検口１５が防火、防煙スクリーン１０の乗場側に位置するため、遮煙、遮炎性能が低下するという問題点もあった。
【０００９】
更に、点検口１５からの保守点検作業が上向き姿勢となるため、作業が非常にやりずらいという問題点の他、十分な保守性を考慮すると、点検口１５のサイズが大きくなり、三方枠縦枠４の幅Ｂ（図６）も大きくなるという問題点があった。
【００１０】
この発明は、上記のような問題点を解消するためになされたもので、乗場ドアを開放し、昇降路側から表示器具及びその本体の保守点検を容易に行なうことができ、三方枠幕板の下面に点検口を設ける必要がないエレベータの乗場装置を提供することを目的とする。
【課題を解決するための手段】
【００１１】
この発明に係るエレベータの乗場装置は、エレベータの昇降路に開口した乗場の両側に設けられた三方枠縦枠及び上記両三方枠縦枠の上端部に跨って設けられた三方枠幕板を有する三方枠と、上記三方枠幕板に設けられた表示器具と、上記三方枠の上記昇降路側に設けられ、上端が上記表示器具の上端部近傍に達する高さを有し、上記乗場を開閉する乗場ドアと、この乗場ドアの上端より上部に配設され、上記乗場ドアを開閉するドア開閉装置と、このドア開閉装置の上端部より高い位置で上記三方枠幕板の上記昇降路側に配設されたスクリーンケース及びこのスクリーンケース内に巻き取り収納されると共に、要時に下降して上記乗場の開口部を閉塞する防火防煙スクリーンを有するスクリーン開閉機と、上記防火防煙スクリーンの下端部に設けられたスクリーン錘の上限位置を規制する上限ストッパとを備え、上記表示器具の保守点検時に上記上限ストッパを取り外し、上記スクリーン錘が上記ドア開閉装置の下端近傍に位置し得るようにしたものである。
【発明の効果】
【００１２】
この発明に係るエレベータの乗場装置は以上のように構成されているため、乗場ドアを開放し、スクリーン錘の上限ストッパを取り外してスクリーン錘をドア開閉装置の下端付近まで巻き上げることにより、昇降路側から表示器具及びその本体を保守点検することができる十分なスペースを確保することができ、昇降路側からの保守点検が可能となる結果、三方枠幕板の下面に点検口を設ける必要がない。
【００１３】
従って、三方枠縦枠４の幅を小さくすることができ、コスト低減及び乗場の意匠性の向上を図ることができると共に、遮煙、遮炎性能も向上することができる。
また、スクリーンケース９はドア開閉装置８の上端より高い位置に配設されているため、スクリーンケース内の開閉器の保守及びスクリーン破損時の取り替えが昇降路側から容易にできる。
【発明を実施するための最良の形態】
【００１４】
実施の形態１．
以下、この発明の実施の形態１を図にもとづいて説明する。図１（ａ）は、実施の形態１の構成を示すもので、図５のＡ−Ａ線に沿った断面図に相当するものである。
また、図１（ｂ）は、図１（ａ）の構成において、表示器具を保守点検するための手順として上限ストッパを取り外した状態を示す構成図、図１（ｃ）は、同じく表示器具を保守点検する次の手順としてスクリーン錘をドア開閉装置の下端部近傍まで巻き上げると共に、表示器具の点検口蓋を取り外した状態を示す構成図である。
これらの図において、図５、図６と同一または相当部分には、それぞれ同一符号を付して説明を省略する。
【００１５】
図５、図６と異なる点は、乗場ドア６の上端が表示器具の本体１４ａの上端部近傍に達する高さとされ、ドア開閉装置８が乗場ドア６の上端より上部に配設されると共に、スクリーンケース９がドア開閉装置８の上端部より高い位置で三方枠幕板５の昇降路側に配設された点である。また、このような構成とすることに伴ない、塞ぎ板１６は、その下端が図示のように、表示器具本体１４ａの上端部近傍で折り曲げられる構成とされ、その下端と三方枠幕板の下面５ａとの間に点検口蓋１７を設け、点検口蓋１７の上下端はそれぞれ塞ぎ板１６の下端及び三方枠幕板の下面５ａにねじ止め等により固定されている。
【００１６】
このような構成において、表示器具１４及び同本体１４ａの保守点検を行なう場合には、昇降路側から見た乗場出入口の正面図を図２に示すように、昇降路側から乗場ドア６を開放すると共に、図１（ｂ）に示すように、スクリーン錘１１の上限ストッパ１３を取り外した状態で図１（ｃ）に示すように、スクリーン錘１１をドア開閉装置８の下端部近傍まで巻き上げ、表示器具の点検口蓋１７を取り外す。
【００１７】
この状態では図１（ｃ）にＣで示すスペースが確保されるため、昇降路側から表示器具１４及び表示器具本体１４ａの保守点検を行なうことができる。
従って、三方枠幕板５の下面５ａに点検口１５を設ける必要がなく、コスト削減及び乗場の意匠性の向上を図ることが可能となり、遮炎、遮煙性能も向上する。
【００１８】
また、スクリーンケース９の端部には、図２に示すように、開閉器９ａが収納され、点検蓋９ｂがねじ止め等の手段で固定されているが、スクリーンケース９がドア開閉装置８の上端より高い位置に配設されているため、昇降路側から点検蓋９ｂを容易に取り外すことができ、内部の開閉器９ａの保守を容易に行なうことができる。
また、防火、防煙スクリーン１０が破損したような場合にも、昇降路側から容易に取り替え作業を行なうことができる。
【００１９】
実施の形態２．
次に、この発明の実施の形態２を図にもとづいて説明する。実施の形態２の通常の状態における構成は、図１（ａ）に示す構成と同じであるが、表示器具１４及び同本体１４ａの保守点検時における構成が実施の形態１とは異なる。
図３（ａ）は、実施の形態２における表示器具１４及び同本体１４ａの保守点検時における構成を示すもので、図１（ａ）と同一または相当部分にはそれぞれ同一符号を付して説明を省略する。
【００２０】
この図に示すように、表示器具１４及び同本体１４ａの保守点検時には、図１（ａ）に示す状態から点検口蓋１７を取り外し、更に、図３（ａ）に破線で示すように、この位置に固定されていた上限ストッパ１３を取り外す。上限ストッパ１３は図３（ｂ）に平面図、図３（ｃ）に正面図を示すように、上端１３ａがＬ形に折曲され、下端１３ｂが上端とは逆方向にＬ形に折曲された形状とされ、下端１３ｂにねじ止め用の孔１３ｃが形成されている。
【００２１】
上限ストッパ１３を取り外した状態でスクリーン錘１１を図３に示すように、ドア開閉装置８の下端部近傍まで巻き上げ、スクリーン錘１１の下方で三方枠縦枠４に、取り外した上限ストッパ１３を図示の状態でねじ止めにより固定する。この結果、スクリーン錘１１が降下しても、その下端が上限ストッパ１３の上端１３ａと係合してそれ以上、下方への移動が阻止されるため、図１（ｃ）のＣと同様なスペースが確保でき、安全な状態で保守点検を行なうことができる。
【００２２】
実施の形態３．
次に、この発明の実施の形態３を図にもとづいて説明する。図４（ａ）は、実施の形態３における表示器具１４及び同本体１４ａの保守点検時の状態を示すもので、点検口蓋１７が取り外された状態を示している。また、図１（ａ）と同一または相当部分にはそれぞれ同一符号を付して説明を省略する。
【００２３】
図１（ａ）と異なる点は、図４（ａ）のＤ−Ｄ線から見た構成を図４（ｄ）（ｅ）に示すように、上限ストッパ１３を固定用ねじ１３ｂを中心として回転できる状態で上枠１２に固定すると共に、ドア開閉装置８の下端部近傍の三方枠縦枠４に、図３（ｂ）（ｃ）に示す上限ストッパ１３と同構造の安全ストッパ１８を固定用ねじ１８ａを中心として回転できる状態で固定した点である。
【００２４】
なお、表示器具１４及び同本体１４ａの保守点検時及び非点検時の安全ストッパ１８の取付状態を図４（ｂ）（ｃ）に示している。詳細については後述する。即ち、上限ストッパ１３は通常の状態では図４（ｅ）に示すように、上端のＬ形折曲部１３ａの先端が表示器具１４側に向くようにされており、スクリーン錘１１は図１（ａ）に示すように、上限ストッパ１３よりも下側に位置するようにされているため、スクリーン錘１１が上方に移動しようとしても、その上端部がＬ形折曲部１３ａに当接してスクリーン錘１１がそれ以上、上方に移動できないように規制されている。
【００２５】
この時、安全ストッパ１８は図４（ａ）に示す状態、拡大図では図４（ｂ）に示すような状態で、その先端が表示器具１４側に向いているが、この位置にはスクリーン錘１１が移動してこないため、安全ストッパ１８は機能しない。また、この時、点検口蓋１７は図１（ａ）に示すように、塞ぎ板１６と三方枠幕板の下面５ａとの間に装着されている。
【００２６】
表示器具１４及び同本体１４ａの保守点検時には、図４（ａ）に示すように、点検口蓋１７を取り外し、上限ストッパ１３を図４（ｅ）に矢印で示すように、固定用ねじ１３ｂを中心として図において時計方向にほぼ９０度回転させて図４（ｄ）に示すようにＬ形折曲部１３ａの先端が一方の三方枠縦枠４側に向くようにすると共に、安全ストッパ１８を図４（ｂ）の状態から同図に矢印で示すように、固定用ねじ１８ａを中心として図において反時計方向にほぼ９０度回転させて図４（ｃ）に示す状態とする。
【００２７】
この状態でスクリーン錘１１を図４（ａ）に示すように、安全ストッパ１８よりも上方に移動させた後、安全ストッパ１８を図４（ｃ）の状態から図において時計方向にほぼ９０度回転させて図４（ｂ）に示す状態に戻す。
図４（ａ）は、この状態を示しており、スクリーン錘１１は安全ストッパ１８に規制されて、それより下方に下降できないため、図１（ｃ）にＣで示す保守点検用スペースが確保でき、安全に保守点検が行なえる。
【００２８】
実施の形態３では、安全ストッパ１８と上限ストッパ１３とを、それぞれ配設しているため、両者を上限ストッパ１３で兼用していた実施の形態２のように、保守点検時に上限ストッパ１３を取り外して上方位置に再取り付けするという作業がなく、各ストッパを単に回転させるのみで保守点検用のスペースを確保することができるため、保守性が一段と向上するものである。
【図面の簡単な説明】
【００２９】
【図１】この発明の実施の形態１の構成及び表示器具の保守点検時の手順を説明する図である。
【図２】実施の形態１における乗場出入口を昇降路側から見た正面図である。
【図３】この発明の実施の形態２の構成及び表示器具の保守点検時の手順を説明する図である。
【図４】この発明の実施の形態３の構成及び表示器具の保守点検時の手順を説明する図である。
【図５】従来のエレベータの乗場出入口を示す正面図である。
【図６】図５のＡ−Ａ線に沿った断面図である。
【符号の説明】
【００３０】
１  昇降路、  ２  乗場、  ４  三方枠縦枠、  ５  三方枠幕板、  ６  乗場ドア、
７  敷居、  ８  ドア開閉装置、  ９  スクリーンケース、  １０  防火、防煙スクリーン、  １１  スクリーン錘、  １２  上枠、  １３  上限ストッパ、  １４  表示器具、
１４ａ  表示器具本体、  １６  塞ぎ板、  １７  点検口蓋、  １８  安全ストッパ。
【図１】
2005178926.tif 000003
【図２】
2005178926.tif 000004
【図３】
2005178926.tif 000005
【図４】
2005178926.tif 000006
【図５】
2005178926.tif 000007
【図６】
2005178926.tif 000008